(57)【特許請求の範囲】
【請求項１】
蓄電池と、
ユーザに対して需要電力の増減を要請するデマンドを受信する通信部と、
前記通信部により受信されたデマンドを受諾するか否かを、前記ユーザに選択させ、前記ユーザに選択させた結果に基づいて要請が確定されるデマンドに応じて、前記受諾されたデマンドが需要電力を減らすデマンドである場合には、電力を消費する需要設備に対して前記蓄電池から放電することで電力を供給し、前記受諾されたデマンドが需要電力を増やすデマンドである場合には、前記デマンドの要請元から供給される電力を用いて前記蓄電池に充電を行う電力制御を行う制御部と、
太陽光発電システムと、
時間毎の電力料金と、前記太陽光発電システムによって発電される時間毎の電力を予測した発電予測と、時間毎の消費が予測される電力を示す需要予測と、に基づいて蓄電計画を導出する蓄電計画導出部と、を有し、
前記制御部は、
前記受諾されたデマンドが需要電力を減らすデマンドである場合、前記需要電力を減らすデマンドと前記蓄電計画とに基づいて、電力減少のデマンドが実施される時間帯と、前記デマンドを実施する時間帯以外において前記電力料金が他の時間帯よりも高い時間帯と、において前記蓄電池から放電して需要設備に供給し、
前記受諾されたデマンドが需要電力を増やすデマンドである場合、前記需要電力を増やすデマンドと前記蓄電計画とに基づいて、電力増大のデマンドが実施される時間帯よりも前であって前記電力料金が他の時間帯よりも高い時間帯において前記蓄電池から放電して前記需要設備に供給しておき、前記デマンドを実施する時間帯において前記デマンドの要請元から供給される電力を用いて前記蓄電池に充電する
電力管理システム。
【請求項２】
前記制御部は、前記ユーザによって選択された受諾の可否を示す状態を、所定期間の間、保持する、
請求項１記載の電力管理システム。
【請求項３】
前記制御部は、前記ユーザによって選択された受諾の可否を示す状態を、前記所定期間の終了後に初期状態に戻す、
請求項２記載の電力管理システム。
【請求項４】
前記制御部は、前記ユーザの操作によって、前記初期状態の設定を変更する、
請求項３記載の電力管理システム。
【請求項５】
前記制御部は、前記デマンドを受諾するか否かを、前記ユーザに選択させる画面を表示部に表示させ、前記画面は、前記デマンドを受諾する操作を誘導する態様で表示される、
請求項１から４のうちいずれか１項記載の電力管理システム。
【請求項６】
前記通信部は、前記ユーザによって選択された受諾の可否を示す状態を、前記デマンドの送信元に送信する、
請求項１から４のうちいずれか１項記載の電力管理システム。
【請求項７】
蓄電池を有する電力管理システムにおいて電力管理を行うコンピュータが、
時間毎の電力料金と、太陽光発電システムによって発電される時間毎の電力を予測した発電予測と、時間毎の消費が予測される電力を示す需要予測と、に基づいて蓄電計画を導出し、
ユーザに対して需要電力の増減を要請するデマンドを受信し、
受信したデマンドを受諾するか否かを、前記ユーザに選択させ、
前記ユーザに選択させた結果に基づいて要請が確定されるデマンドに応じて、前記受諾されたデマンドが需要電力を減らすデマンドである場合には、電力を消費する需要設備に対して前記蓄電池から放電することで電力を供給し、前記受諾されたデマンドが需要電力を増やすデマンドである場合には、前記デマンドの要請元から供給される電力を用いて前記蓄電池に充電を行う電力制御を行うものであって、前記受諾されたデマンドが需要電力を減らすデマンドである場合、前記需要電力を減らすデマンドと前記蓄電計画とに基づいて、電力減少のデマンドが実施される時間帯と、前記デマンドを実施する時間帯以外において前記電力料金が他の時間帯よりも高い時間帯と、において前記蓄電池から放電して需要設備に供給し、前記受諾されたデマンドが需要電力を増やすデマンドである場合、前記需要電力を増やすデマンドと前記蓄電計画とに基づいて、電力増大のデマンドが実施される時間帯よりも前であって前記電力料金が他の時間帯よりも高い時間帯において前記蓄電池から放電して前記需要設備に供給しておき、前記デマンドを実施する時間帯において前記デマンドの要請元から供給される電力を用いて前記蓄電池に充電する
電力管理方法。
【請求項８】
蓄電池を有する電力管理システムにおいて電力管理を行うコンピュータに、
時間毎の電力料金と、太陽光発電システムによって発電される時間毎の電力を予測した発電予測と、時間毎の消費が予測される電力を示す需要予測と、に基づいて蓄電計画を導出する処理と、
ユーザに対して需要電力の増減を要請するデマンドを受信する処理と、
受信したデマンドを受諾するか否かを、前記ユーザに選択させる処理と、
前記ユーザに選択させた結果に基づいて要請が確定されるデマンドに応じて、前記受諾されたデマンドが需要電力を減らすデマンドである場合には、電力を消費する需要設備に対して前記蓄電池から放電することで電力を供給し、前記受諾されたデマンドが需要電力を増やすデマンドである場合には、前記デマンドの要請元から供給される電力を用いて前記蓄電池に充電を行う電力制御を行う処理であって、前記受諾されたデマンドが需要電力を減らすデマンドである場合、前記需要電力を減らすデマンドと前記蓄電計画とに基づいて、電力減少のデマンドが実施される時間帯と、前記デマンドを実施する時間帯以外において前記電力料金が他の時間帯よりも高い時間帯と、において前記蓄電池から放電して需要設備に供給し、前記受諾されたデマンドが需要電力を増やすデマンドである場合、前記需要電力を増やすデマンドと前記蓄電計画とに基づいて、電力増大のデマンドが実施される時間帯よりも前であって前記電力料金が他の時間帯よりも高い時間帯において前記蓄電池から放電して前記需要設備に供給しておき、前記デマンドを実施する時間帯において前記デマンドの要請元から供給される電力を用いて前記蓄電池に充電する処理と、
を実行させる電力管理プログラム。
【発明の詳細な説明】
【技術分野】
【０００１】
本発明は、電力管理システム、電力管理方法、および電力管理プログラムに関する。
【背景技術】
【０００２】
従来、電力の供給量よりも需要量の方が大きくなった場合に、停電等の障害が発生する可能性があった。この場合において電力会社などが、利用者に対して電力の節電を要請することが提案されている。
【０００３】
これに対して、家電を使用する時間帯をシフトさせる技術や、家電の消費電力を削減する技術等が知られている（例えば、特許文献１〜２参照）。
また、電力の供給量よりも需要量の方が大きくなることが予想される場合に、太陽光発電や風力発電等によって発電された電力を有効利用する技術が知られている（例えば、特許文献３〜５参照）。
【先行技術文献】
【特許文献】
【０００４】
【特許文献１】特開２００６−７４９５２号公報
【特許文献２】特開平１１−３４６４３７号公報
【特許文献３】特開２０１２−６０８００号公報
【特許文献４】特開２０１１−５０２４０号公報
【特許文献５】特開２００４−１１２８６８号公報
【発明の概要】
【発明が解決しようとする課題】
【０００５】
しかしながら、上記技術を利用して電力会社の要請に応える場合、利用者の希望に応じた電力使用を行うことができない場合があった。その結果、利用者の利便性が悪化する場合があった。
【０００６】
本発明は、このような事情に鑑みてなされたものであり、利用者の利便性を向上させることができる電力管理システム、電力管理方法、および電力管理プログラムを提供することを目的とする。
【課題を解決するための手段】
【０００７】
上述した課題を解決するために、本発明の一態様は、ユーザに対して需要電力の増減を要請するデマンドを受信する通信部と、前記通信部により受信されたデマンドを受諾するか否かを、前記ユーザに選択させ、前記ユーザに選択させた結果に基づいて要請が確定されるデマンドに応じて、電力制御を行う制御部とを備える電力管理システムである。
【０００８】
また、本発明の一態様は、上記の電力管理システムであって、前記制御部は、前記ユーザによって選択された受諾の可否を示す状態を、所定期間の間、保持してもよい。
【０００９】
また、本発明の一態様は、上記の電力管理システムであって、前記制御部は、前記ユーザによって選択された受諾の可否を示す状態を、前記所定期間の終了後に初期状態に戻してもよい。
【００１０】
また、本発明の一態様は、上記の電力管理システムであって、前記制御部は、前記ユーザの操作によって、前記初期状態の設定を変更してもよい。
【００１１】
また、本発明の一態様は、上記の電力管理システムであって、前記制御部は、前記デマンドを受諾するか否かを、前記ユーザに選択させる画面を表示部に表示させ、前記画面は、前記デマンドを受諾する操作を誘導する態様で表示されてもよい。
【００１２】
また、本発明の一態様は、上記の電力管理システムであって、前記通信部は、前記ユーザによって選択された受諾の可否を示す状態を、前記デマンドの送信元に送信してもよい。
【００１３】
また、本発明の一態様は、電力管理を行うコンピュータが、ユーザに対して需要電力の増減を要請するデマンドを受信し、受信したデマンドを受諾するか否かを、前記ユーザに選択させ、前記ユーザに選択させた結果に基づいて要請が確定されるデマンドに応じて、電力制御を行う電力管理方法である。
【００１４】
また、本発明の一態様は、電力管理を行うコンピュータに、ユーザに対して需要電力の増減を要請するデマンドを受信する処理と、受信したデマンドを受諾するか否かを、前記ユーザに選択させる処理と、前記ユーザに選択させた結果に基づいて要請が確定されるデマンドに応じて、電力制御を行う処理とを実行させる電力管理プログラムである。
【発明の効果】
【００１５】
以上説明したように、本発明によれば、利用者の利便性を向上させることができる。
【図面の簡単な説明】
【００１６】
【図１】第１の実施形態の電力管理システム１の構成例を示す図である。
【図２】第１の実施形態の需要家施設Ｈ内の設備の構成例を示す図である。
【図３】第１の実施形態の操作端末１０の構成例を示す図である。
【図４】表示画面の一例を示す図である。
【図５】第１の実施形態の上位サーバ２００の構成例を示す図である。
【図６】電力料金２３２の一例を示す図である。
【図７】需要電力の減少が要請された場合の蓄電計画の導出の様子を示す図である。
【図８】電力料金２３２のその他の例を示す図である。
【図９】需要電力の増大が要請された場合の蓄電計画の導出の様子を示す図である。
【図１０】第１の実施形態の電力管理システム１により行われる処理の一例を示すフローチャートである。
【図１１】第２の実施形態の電力管理システム１の構成例を示す図である。
【図１２】第２の実施形態の需要家施設Ｈ内の設備の構成例を示す図である。
【図１３】第２の実施形態の操作端末１０の構成例を示す図である。
【発明を実施するための形態】
【００１７】
（第１の実施形態）
図１は、第１の実施形態の電力管理システム１の構成例を示す図である。本実施形態における電力管理システムは、例えば、所定の地域範囲における複数の需要家に対応する住宅、商業施設、産業施設などの需要家施設Ｈにおける電力を一括して管理するものである。このような電力管理システム１は、例えばＴＥＭＳ（Town  Energy  Management  System）やＣＥＭＳ（Community  Energy  Management  System）などと称されるものに対応する。
【００１８】
電力管理システム１は、複数の需要家施設Ｈ−１〜Ｈ−ｎのそれぞれに設けられた操作端末１０−１〜１０−ｎが、ＷＡＮやＬＡＮなどのネットワークＮＷを介して上位サーバ２００と通信を行う。この通信は、例えば双方向に行われる。需要家施設Ｈ−１〜Ｈ−ｎは、例えば、戸建ての住宅や、マンション等の集合住宅、その他の住居を含む。
【００１９】
各需要家施設Ｈ−１〜Ｈ−ｎには、操作端末１０−１〜１０−ｎと通信を行う蓄電池システム３０−１〜３０−ｎがそれぞれ備えられている。蓄電池システム３０−１〜３０−ｎには、例えば、リチウムイオン電池、鉛蓄電池、ニッケル水素電池等の二次電池が含まれる。
【００２０】
また、需要家施設Ｈ−１〜Ｈ−ｎには、さらに太陽光発電システムＳＰが備えられていてもよい。以下、需要家施設Ｈ−１〜Ｈ−ｎ、操作端末１０−１〜１０−ｎ、および蓄電池システム３０−１〜３０−ｎを特に区別しない場合、それぞれを単に「需要家施設Ｈ」、「操作端末１０」、「蓄電池システム３０」と記載する。
【００２１】
上位サーバ２００は、後述する電力情報提供者３００から各種情報を受信し、これに応じた情報を操作端末１０に送信する。また、上位サーバ２００は、操作端末１０から送信された各種情報を電力情報提供者３００へ送信する。
【００２２】
電力情報提供者３００とは、例えば、電力プロバイダや電力会社等である。電力情報提供者３００は、時間に応じて電力使用の料金が変動する情報（以下、「電力料金」と称する）と、需要家施設Ｈごとの発電電力および消費電力と、需要家施設Ｈが使用する需要電力の増大また減少を要請するデマンド（以下、「デマンド情報」と称する）と、太陽光の日射に関する情報（以下、「日射情報」と称する）等を上位サーバ２００に送信する。本実施形態におけるデマンド情報は、需要電力の増大また減少を開始する時刻と終了する時刻との情報を含む。すなわち、上位サーバ２００がデマンド情報を受信した時刻から、一定の期間後に要請が開始されるように設定されている。
【００２３】
図２は、第１の実施形態の需要家施設Ｈ内の設備の構成例を示す図である。図中に示す破線および実線の矢印は、それぞれ通信線、電力線を表す。
需要家施設Ｈ内には、上述した操作端末１０と、蓄電池システム３０と、太陽光発電システムＳＰとのほかに、例えば、分電盤５０と、需要家施設Ｈおよび系統電力ＣＰ間の電力を測定する電力メータ７０と、家電等の需要設備６０が備えられている。需要設備６０には、蓄電池システム３０により放電された電力、太陽光発電システムＳＰによって発電された電力、および系統電力ＣＰの電力が、分電盤５０を介して供給される。
【００２４】
図３は、第１の実施形態の操作端末１０の構成例を示す図である。操作端末１０は、第１通信インターフェース１２に接続された第１通信部１４と、制御部１６と、第２通信インターフェース２０に接続された第２通信部１８と、記憶部２２とが内部バスＩＢを介して通信可能なように接続されている。制御部１６は、例えば、ＣＰＵ（Central  Processing  Unit）などのプロセッサである。また、記憶部２２は、ＲＡＭ（Random  Access  Memory）やフラッシュメモリ、ＨＤＤ（Hard  Disk  Drive）などの記憶装置を含む。
【００２５】
第１通信インターフェース１２は、ネットワークＮＷを介して上位サーバ２００と通信を行うためのインターフェースであり、第２通信インターフェース２０は、需要家施設Ｈ内の設備と通信を行うためのインターフェースである。第２通信インターフェース２０は、例えば、ユーザの入力を受け付ける入力部と、ユーザに対して各種情報を表示する表示部との双方を備えるタッチパネル等のユーザインターフェースに接続される。
【００２６】
第１通信部１４は、第１通信インターフェース１２を介して上位サーバ２００と各種情報の送受信を行い、第２通信部１８は、第２通信インターフェース２０を介して需要家施設Ｈ内の設備と各種情報の送受信を行う。また、第１通信部１４および第２通信部１８は、受信した情報を記憶部２２に記憶させる。なお、これら通信部は、両機能を備えた一体の機能部であってもよい。
【００２７】
制御部１６は、第１通信部１４および第２通信部１８によって受信された情報に基づいて、第２通信インターフェース２０を介してユーザに表示させる表示画面を制御する。制御部１６は、「選択部」の一例である。なお、制御部１６は、表示画面の操作やボタン入力等の代わりに、ユーザから音声等による指示を受け付けてもよい。また、制御部１６は、表示画面をユーザに表示させる代わりに、表示画面上の情報を音声等で通知してもよい。
【００２８】
図４は、表示画面の一例を示す図である。表示画面には、例えば、「節電要求の受け入れ」等のデマンドを受諾するか否かの選択項目と、デマンドを開始する時刻と、デマンドを終了する時刻と、「節電要求」のような需要電力の減少（または増大）を示すデマンドの名称とが含まれる。制御部１６は、例えば、第１通信部１４によって需要電力の減少を要請するデマンドが受信されていた場合、「節電要求確認」という表示画面を表示させる。この表示画面には、初期状態として、デマンドを受諾するという意味で「はい」という選択に予め選択項目が設定されている。このように、初期状態においてデマンドを受諾する状態を表示することで、この画面は、デマンドを受諾する操作を誘導する態様で表示されるものである。これによって、電力管理システム１は、デマンドを受諾してもらう方向にユーザを誘導し、エネルギーの節約に寄与することができる。なお、初期状態は、「はい」、または「いいえ」のいずれか一方を選択可能なように予め設定しておいてもよいし、「はい」および「いいえ」の両方を選択可能なように予め設定しておいてもよい。
【００２９】
制御部１６は、電力情報提供者３００からデマンド情報を受信した時刻に表示画面を表示させ、デマンドを終了する時刻まで当該表示画面を表示し続けるように制御する。制御部１６は、表示画面を表示させ始めた時刻からデマンドを開始する時刻までの期間に、ユーザによって選択項目が変更された場合、当該デマンドが受諾されなかったと判定する。この結果、電力管理システム１は、ユーザに対して、後述する蓄電計画ＬＮ１に基づいた電力の使用を行わせる。
【００３０】
また、制御部１６は、表示画面を表示させ始めた時刻からデマンドを開始する時刻までの期間に、ユーザによって選択項目が変更されない場合、当該デマンドが受諾されたと判定する。この結果、電力管理システム１は、ユーザに対して、後述する蓄電計画ＬＮ２に基づいた電力の使用を行わせる。すなわち、ユーザは、受諾したデマンドに基づいた電力の使用を行うことになる。
【００３１】
制御部１６は、蓄電計画に基づいて、蓄電池システム３０を制御しつつ、太陽光発電システムＳＰ、需要設備６０等の需要家施設Ｈ内の他の設備を制御する。制御部１６は、例えば、蓄電計画に基づいて蓄電池システム３０を作動させ、この作動によって変動した電力量分を他の設備が消費（発電）するように制御する。
【００３２】
制御部１６は、例えば、電気料金が高い場合、或いは節電を要請するデマンドが受諾された場合、蓄電池システム３０を放電させ、この放電によって生じた余剰電力を需要設備６０に供給するように各設備を制御する。この際、制御部１６は、需要設備６０によって消費される電力量が小さくなるように需要設備６０の運転を制御すると好適である。制御部１６は、例えば、エアコンの風量や温度等の設定を変更したり、照明機器を停止したりする。
【００３３】
また、制御部１６は、例えば、電気料金が安い場合、或いは電力の積極的な利用を要請するデマンドが受諾された場合、蓄電池システム３０を充電させるように制御する。これによって、電気料金が高い場合、或いは節電を要請するデマンドが受諾した場合に、ユーザは、蓄電池システム３０に蓄電された電力を使用することにより、需要電力量を抑えることができる。
【００３４】
また、制御部１６は、デマンドを開始してから終了するまでの期間に、選択項目の変更を受け付けるように表示画面を制御してもよい。電力管理システム１は、例えば、ユーザによって、デマンドを開始する前に、選択項目が「いいえ」に変更され、デマンドを開始してから終了するまでの期間に、選択項目が「はい」に変更された場合、この変更された時刻からデマンドを終了する時刻までの期間に、ユーザに蓄電計画ＬＮ２に基づいた電力の使用を行わせる。
【００３５】
また、制御部１６は、デマンドが終了するまで、選択項目の状態が保持されるように記憶部２２を制御する。また、制御部１６は、デマンドが終了した後、ユーザによって変更された選択項目を初期状態にリセットするように制御する。
【００３６】
また、制御部１６は、ユーザによって選択されたデマンドの受諾の可否を示す情報を、デマンド情報の送信元である電力情報提供者３００に通知する手段を有しても良い。これによって、電力情報提供者３００は、より正確な需要量を導出することができ、供給電力に対する需要電力のひっ迫の程度をより正確に把握することができる。
【００３７】
図５は、第１の実施形態の上位サーバ２００の構成例を示す図である。上位サーバ２００は、例えば、送信部２１０と、受信部２１２と、情報処理部２１４と、蓄電計画導出部２１６と、送信情報記憶部２２０と、受信情報記憶部２３０と、設備情報記憶部２４０とを備える。情報処理部２１４および蓄電計画導出部２１６は、例えば、ＣＰＵ（Central  Processing  Unit）などのプロセッサである。また、送信情報記憶部２２０、受信情報記憶部２３０、および設備情報記憶部２４０は、ＲＡＭ（Random  Access  Memory）やフラッシュメモリ、ＨＤＤ（Hard  Disk  Drive）などの記憶装置を含む。以下、各記憶部の説明を先に行う。
【００３８】
送信情報記憶部２２０は、蓄電計画２２１と、発電予測２２２と、需要予測２２３とを含む情報を記憶する。蓄電計画２２１とは、需要家施設Ｈが電力を使用する際に参照する情報である。本実施形態の電力管理システム１において、需要家施設Ｈの電力の使用は、蓄電計画２２１に基づいて行われる。
【００３９】
また、発電予測２２２とは、予め算出された太陽光発電システムＳＰの所定時間ごと（例えば３０分）における発電電力を示す情報である。また、需要予測２２３は、需要家施設Ｈにおいて、所定時間ごとに消費が予測される電力を示す情報である。
【００４０】
受信情報記憶部２３０は、デマンド情報２３１と、電力料金２３２と、発電電力２３３と、消費電力２３４と、余剰電力２３５とを含む情報を記憶する。発電電力２３３および消費電力２３４は、それぞれ、所定時間ごとの太陽光発電システムＳＰの発電量と、所定時間ごとに需要家施設Ｈにおいて消費された電力とを示す情報である。
【００４１】
余剰電力２３５は、例えば、発電予測２２２が示す電力から需要予測２２３が示す電力を減算した情報として算出される。余剰電力２３５は、例えば、ある期間において需要予測２２３が発電予測２２２以上の場合、当該期間の電力の差がゼロ、または負値として算出される。すなわち、当該期間における余剰電力２３５は、電力に余剰がないことを示す情報として受信情報記憶部２３０に記憶される。
【００４２】
設備情報記憶部２４０は、蓄電設備情報２４１と、発電設備情報２４２と、需要設備情報２４３とを含む情報を記憶する。蓄電設備情報２４１には、蓄電池システム３０の蓄電池の蓄電池容量（ｋＷｈ）、上限ＳＯＣ（State  Of  Charge：充電率）、下限ＳＯＣ、充放電時のロス（％）、最大放電電力（ｋＷ）、充電効率、交流−直流変換装置の変換効率、充電効率等の諸元を示す情報が含まれる。
【００４３】
発電設備情報２４２には、太陽光発電システムＳＰにおけるインバータ容量（ｋＷ）、変換効率（％）、発電面積（ｍ２）、経度、緯度、設置角等の諸元を示す情報が含まれる。
【００４４】
需要設備情報２４３には、需要設備６０のエアコン、電気温水器、ＩＨヒータ、電子レンジ、洗濯機、掃除機、照明等の消費電力を示す情報が含まれる。
【００４５】
送信部２１０は、送信情報記憶部２２０に記憶された情報を操作端末１０および電力情報提供者３００に送信する。受信部２１２は、操作端末１０および電力情報提供者３００から送信された情報を受信し、受信情報記憶部２３０に記憶させる。
【００４６】
情報処理部２１４は、例えば、予め取得された日射情報と発電設備情報２４２に基づいて発電予測２２２を算出する。また、情報処理部２１４は、例えば、過去１週間内の所定時間ごとに、各需要家施設Ｈ内で消費された電力を算出し、算出した電力の平均値を需要予測２２３として算出する。
【００４７】
蓄電計画導出部２１６は、電力料金２３２と、情報処理部２１４により算出された発電予測２２２および需要予測２２３との計画導出情報に基づいて蓄電計画を導出する。蓄電計画とは、蓄電池システム３０が充放電を行うのか、または停止するのかを所定時間ごとに決定したものである。以下、図を参照して蓄電計画の導出方法について説明する。
【００４８】
図６は、電力料金２３２の一例を示す図である。電力料金２３２は、例えば、料金に応じた料金レベルが設定される。本実施形態の料金レベルは、１０（円/ｋＷ）以下の場合、０に設定され、１０〜１５（円/ｋＷ）の場合、１に設定され、１５〜２０（円/ｋＷ）の場合、２に設定され、２０〜３０（円/ｋＷ）の場合、３に設定される。これら料金レベルの設定は、予め電力情報提供者３００側で実施されてもよいし、上位サーバ２００側（情報処理部２１４、蓄電計画導出部２１６）で実施してもよい。
【００４９】
図７は、需要電力の減少が要請された場合の蓄電計画の導出の様子を示す図である。蓄電計画導出部２１６は、電力情報提供者３００から需要電力の減少を要請する、すなわち節電を要請するデマンド情報が送信された場合、以下の処理を行う。
【００５０】
（通常時の蓄電計画ＬＮ１の導出）
蓄電計画導出部２１６は、所定時間ごとに蓄電池システム３０に充放電を行わせるか否かを割り当てる。まず、蓄電計画導出部２１６は、最大の料金レベル（レベル３）が設定された期間において、優先的に充放電が行われるように蓄電池システム３０の充放電を割り当てる。次に、蓄電計画導出部２１６は、最大の料金レベルの１レベル下の料金レベル（レベル２）が設定された期間において、蓄電池のＳＯＣが閾値（０％）以上の場合、充放電が行われるように蓄電池システム３０の充放電を割り当てる。以下、蓄電計画導出部２１６は、最小の料金レベルになるまで上述した処理を繰り返す。
【００５１】
図示の例において、蓄電計画導出部２１６は、料金レベルが３の期間において、蓄電池システム３０を所定の放電量で放電させる。また、蓄電計画導出部２１６は、蓄電池のＳＯＣが閾値（０％）以上であるため、料金レベルが２の期間において、蓄電池システム３０を放電させる。この際、蓄電計画導出部２１６は、次に料金レベル１の期間において所定の放電量で放電させた場合、期間の途中でＳＯＣが閾値（０％）に達するため、料金レベルが２の終了時刻にＳＯＣがゼロになるように放電させる。
【００５２】
蓄電計画導出部２１６は、上記の蓄電池システム３０の蓄電計画ＬＮ１を導出後に、蓄電計画ＬＮ１を送信情報記憶部２２０に記憶させる。
【００５３】
（電力減少デマンド受諾時の蓄電計画ＬＮ２の導出）
蓄電計画導出部２１６は、デマンドが需要家施設Ｈのユーザによって受諾された場合、以下の処理を行う。
【００５４】
蓄電計画導出部２１６は、６時から２２時が料金レベルが深夜の最低料金（料金レベル０）より高いので、蓄電池の放電を行う計画を従う。蓄電計画導出部２１６は、例えば、節電が１０〜１４時の期間において実施されるデマンド情報を放電開始の６時以前に受信した場合、６時から蓄電池のＳＯＣが閾値（例えば８０％）に達するまでの期間において蓄電池システム３０を所定の放電量で放電させる。蓄電計画導出部２１６は、デマンド情報を受信した時刻の蓄電池のＳＯＣが閾値未満の場合は、蓄電池システム３０を停止させる。この閾値の決定方法を以下に説明する。
【００５５】
ＬＮ１の計画では、１０〜１４時の時間帯を蓄電池で補うことができているが、デマンドの要請は、需要状況の変化があった場合でも確実に電力を削減したいとの意図で発令される。この要請を受けて、デマンドの期間の需要電力を予測の値を５０％増しにして、即ち需要電力が１５０％になるものと増加させて、後述する図１０のフローチャートにて、デマンドに基づいた消費電力を求める。その結果、例えばＮＬ１では、６５％と計算された結果がＮＬ２の上述の計算では８０％となれば、この閾値は８０％となる。また、この値は固定としておいてＬＮ２を計算してもよい。図示の例において、蓄電計画導出部２１６は、６時から７時まで蓄電池システム３０を所定の放電量で放電させる。
【００５６】
蓄電計画導出部２１６は、蓄電池のＳＯＣが閾値（例えば８０％）に達した時刻（７時）から、節電のデマンドが開始される時刻（１０時）まで蓄電池システム３０を停止させる。蓄電計画導出部２１６は、デマンドが実施される期間（１０〜１３時）、蓄電池システム３０を所定の放電量で放電させる。すなわち、需要家施設Ｈは、蓄電計画に基づき電力を使用する場合、節電要請の期間において、需要設備の消費電力の一部または全部を、蓄電池システム３０の放電電力によって賄う。
【００５７】
蓄電計画導出部２１６は、上記の蓄電池システム３０の蓄電計画ＬＮ２を導出後に、蓄電計画ＬＮ２を送信情報記憶部２２０に記憶させる。
【００５８】
また、蓄電計画導出部２１６は、電力情報提供者３００から需要電力の増大を要請するデマンド情報が送信され、このデマンドが需要家施設Ｈのユーザによって受諾された場合、以下の処理を行う。
【００５９】
（電力増大デマンド受諾時の蓄電計画ＬＮ２の導出）
図８は、電力料金２３２のその他の例を示す図である。図８は、１０〜１４時における時間帯の料金レベルが、レベル０に設定されている。また、図９は、需要電力の増大が要請された場合の蓄電計画の導出の様子を示す図である。
【００６０】
蓄電計画導出部２１６は、例えば、需要電力の増大が１０〜１３時の期間において実施されるデマンド情報を料金がレベル１になる６時、即ち放電を開始すべき時刻の以前に受信した場合、６時から電力増大のデマンドが開始されるまでの期間に蓄電池のＳＯＣを閾値（例えば０％）の値にするように蓄電池システム３０を放電させる。蓄電計画導出部２１６は、電力増大のデマンドが実施される期間（１０〜１３時）に、蓄電池システム３０を充電させる。すなわち、需要家施設Ｈは、蓄電計画に基づき電力を使用する場合、需要電力の増大が要請される期間において、常に蓄電池システム３０を充電させることで系統電力ＣＰから供給される電力をより多く消費する。
【００６１】
図１０は、第１の実施形態の電力管理システム１により行われる処理の一例を示すフローチャートである。本フローチャートは、例えば、所定周期ごとに繰り返し実行される。
まず、電力管理システム１は、計画導出情報が取得されているか否か判定する（ステップＳ１００）。電力管理システム１は、計画導出情報が取得されていない場合（ステップＳ１００：Ｎｏ）、本フローチャートの処理を終了する。
【００６２】
蓄電計画導出部２１６は、計画導出情報が取得されている場合（ステップＳ１００：Ｙｅｓ）、蓄電計画ＬＮ１を導出する（ステップＳ１０２）。次に、電力管理システム１は、ユーザに対して、導出した蓄電計画ＬＮ１に基づいた電力の使用を行わせる（ステップＳ１０４）。
【００６３】
次に、電力管理システム１は、電力情報提供者３００からデマンド情報を受信したか否か判定する（ステップＳ１０６）。電力管理システム１は、電力情報提供者３００からデマンド情報を受信していない場合（ステップＳ１０６：Ｎｏ）、本フローチャートの処理を終了する。制御部１６は、電力情報提供者３００からデマンド情報を受信している場合（ステップＳ１０６：Ｙｅｓ）、デマンドを受諾するか否かの選択項目を含む表示画面が、ユーザインターフェースに表示されるように制御する（ステップＳ１０８）。
【００６４】
次に、制御部１６は、ユーザによって選択項目が変更されたか否かを判定し、当該デマンドが受諾されたか否か判定する（ステップＳ１１０）。電力管理システム１は、ユーザによって当該デマンドが受諾されなかった場合（ステップＳ１１０：Ｎｏ）、本フローチャートの処理を終了する。
【００６５】
電力管理システム１は、ユーザによって当該デマンドが受諾された場合（ステップＳ１１０：Ｙｅｓ）、ユーザに対して、導出した蓄電計画ＬＮ２に基づいた電力の使用を行わせる。すなわち、電力管理システム１は、ユーザが受諾したデマンドに基づいた電力の使用を、ユーザに行わせる（ステップＳ１１２）。これによって、電力管理システム１は、本フローチャートの処理を終了する。
【００６６】
本実施形態の電力管理システム１によれば、需要電力の増減を要請するデマンドを受信し、受信したデマンドを受諾するか否かを選択可能な表示画面をユーザに対して通知する手段を有し、ユーザが選択可能とすることにより、利用者の利便性を向上させることができる。
【００６７】
また、本実施形態の電力管理システム１によれば、ユーザに表示させる表示画面において、デマンドを受諾するか否かを選択する選択項目を予め設定することも可能である。
【００６８】
また、本実施形態の電力管理システム１によれば、計画導出情報に基づいて蓄電計画を導出することにより、経済性のよい電力の使用をユーザに行わせることができる。
【００６９】
（第２の実施形態）
以下、第２の実施形態の電力管理システム１について説明する。第２の実施形態の電力管理システム１では、電力情報提供者３００から送信されるデマンド情報の代わりに、上位サーバ２００が独自にデマンド情報を導出する点で、第１の実施形態と相違する。従って、係る相違点を中心に説明し、共通する部分についての説明は省略する。
【００７０】
図１１は、第２の実施形態の電力管理システム１の構成例を示す図である。上位サーバ２００は、各需要家施設Ｈの操作端末１０から発電電力および消費電力を取得する。また、上位サーバ２００は、ネットワークＮＷを介して、他の記憶装置内に記憶された電力料金と日射情報とを取得する。この電力料金は、例えば、当該需要家施設Ｈと契約していない他の地域の電力プロバイダ等の電力料金である。また、日射情報は、例えば、インターネット上に散見される天気情報に含まれる情報である。また、上位サーバ２００は、電力会社が公開する電力の情報（例えば電力需給のひっ迫情報等）に基づいてデマンド情報を導出する。
【００７１】
図１２は、第２の実施形態の需要家施設Ｈ内の設備の構成例を示す図である。各需要家施設Ｈには、それぞれ電力モニタ９０が備えられている。電力モニタ９０は、分電盤５０に供給される電力を監視する。
【００７２】
図１３は、第２の実施形態の操作端末１０の構成例を示す図である。本実施形態における操作端末１０は、電力収集部２４を備えている。第２通信部１８は、例えば、電力モニタ９０によって監視（測定）された分電盤５０に供給される電力と、電力メータ７０によって測定された系統電力ＣＰから供給される電力との情報を、第２通信インターフェース２０を介して受信する。電力収集部２４は、第２通信部１８により受信されたこれら電力の情報に基づいて、需要家施設Ｈの発電電力および消費電力を算出する。これによって、第２の実施形態の電力管理システム１は、電力情報提供者３００から計画導出情報を取得せずに、蓄電計画を導出することができる。この結果、第２の実施形態の電力管理システム１は、上述した第１の実施形態と同様に、利用者の利便性を向上させることができる。
【００７３】
以下に、その他の実施例（変形例）について記載する。
【００７４】
制御部１６は、初期状態を変更することが可能な項目を含む表示画面を表示させてもよい。これによって、予め設定される選択項目がユーザの任意によって変更可能になる。ユーザは、例えば、選択項目の初期状態を「いいえ（受諾しない）」に変更してもよい。これによって、電力管理システム１は、ユーザの使用様態に応じた電力管理を行うことができる。
【００７５】
また、制御部１６は、当該デマンドから所定回数（例えば３回）のデマンドを受信するまでの間、選択項目の設定が保持されるように制御してもよい。また、制御部１６は、ユーザの指定の期間（例えば１か月）、選択項目の設定が保持されるように制御してもよい。
【００７６】
また、制御部１６は、第２通信インターフェース２０がスマートフォンやパソコン等と接続されている場合、メールやウェブページ等の情報を送信するように制御してもよい。この場合の情報には、例えば、「１２時から電気料金が高くなります」、「１３時まで節電しましょう」のような、デマンドに応じた電力使用を促す内容の文章が含まれる。また、デマンドの受諾の可否は、当該メールへの返信、或いはウェブページ内での選択項目のクリック等によって行われると好適である。また、制御部１６は、発光ダイオード等による光の点滅、スピーカによるアラーム音等でデマンドの通知を行ってもよい。この場合、デマンドの種類（増大または減少）に応じた光色や音色で、デマンドを通知すると好適である。
【００７７】
なお、上述の電力管理システム１の機能を実現するためのプログラムをコンピュータ読み取り可能な記録媒体に記録して、この記録媒体に記録されたプログラムをコンピュータシステムに読み込ませ、実行することにより上述の電力管理システム１の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００７８】
以上、本発明の実施形態について図面を参照して詳述してきたが、具体的な構成は本実施形態に限られるものではなく、本発明の要旨を逸脱しない範囲の設計等も含まれる。
【符号の説明】
【００７９】
１…電力管理システム、Ｈ、Ｈ-１〜Ｈ-ｎ…需要家施設、１０、１０-１〜１０-ｎ…操作端末、１２…第１通信インターフェース、１４…第１通信部、１６…制御部、１８…第２通信部、２０…第２通信インターフェース、２２…記憶部、３０、３０-１〜３０-ｎ…蓄電池システム、５０…分電盤、６０…需要設備、７０…電力メータ、ＣＰ…系統電力、ＳＰ…太陽光発電システム、ＮＷ…ネットワーク、２００…上位サーバ、２１０…送信部、２１２…受信部、２１４…情報処理部、２１６…蓄電計画導出部、２２０…送信情報記憶部、２３０…受信情報記憶部、２４０…設備情報記憶部、３００…電力情報提供者
【図１】
0006450168.tif 000002
【図２】
0006450168.tif 000003
【図３】
0006450168.tif 000004
【図４】
0006450168.tif 000005
【図５】
0006450168.tif 000006
【図６】
0006450168.tif 000007
【図７】
0006450168.tif 000008
【図８】
0006450168.tif 000009
【図９】
0006450168.tif 000010
【図１０】
0006450168.tif 000011
【図１１】
0006450168.tif 000012
【図１２】
0006450168.tif 000013
【図１３】
0006450168.tif 000014